(57)【要約】【課題】加熱筒保護カバーの外側にケーブルを出すことにより、ケーブルの使用環境を改善することが可能な射出成形機の加熱筒保護カバーを提供すること。【解決手段】加熱筒保護カバーの取付け方は、まず、加熱筒保護カバーのケーブル通過用の穴に加熱筒用電熱ヒータの電力供給ケーブルの末端部を通しておく。次に加熱筒保護カバーをノズル側から加熱筒に通して、加熱筒に固定する。この際にケーブル通過用の切欠きと水冷ジャケットによって形成される穴に加熱筒用電熱ヒータのケーブルを通す。その後、加熱筒用電熱ヒータの電力供給ケーブルの末端部を引っ張り、同ケーブルを加熱筒保護カバーの外側に出す。【選択図】図３
2015107616.tif 000002
【特許請求の範囲】
【請求項１】
加熱筒の全周を覆う射出成形機の加熱筒保護カバーにおいて、前記加熱筒保護カバーは、ケーブルを加熱筒保護カバーの外側に出すためのケーブル通過部を有することを特徴とする射出成形機の加熱筒保護カバー。
【請求項２】
前記加熱筒保護カバーは、分割可能な複数のカバー部材から構成され、互いに接合されるカバー部材のうち一部または全部に、互いに接合される一方のカバー部材または両方のカバー部材にケーブル通過部形成用の切欠きが設けられ、
前記加熱筒保護カバーを構成する全てのカバー部材を加熱筒に組付けることにより、加熱筒の全周を覆い、且つ、前記カバー部材に設けられたケーブル通過部形成用の切欠きによりケーブルを加熱筒保護カバーの外側に出すためのケーブル通過部を形成することを特徴とする請求項１に記載の加熱筒保護カバー。
【請求項３】
前記加熱筒保護カバーは、互いに接合されるカバー部材の境界となる分割線が、加熱筒の軸方向における前記加熱筒保護カバーの前端から後端まで延びていることを特徴とする請求項２に記載の加熱筒保護カバー。
【請求項４】
前記加熱筒保護カバーは、互いに接合されるカバー部材の境界となる分割線が、閉じていることを特徴とする請求項２に記載の加熱筒保護カバー。
【請求項５】
前記加熱筒保護カバーは、互いに接合されるカバー部材同士が脱落防止ボルトにより接合されることを特徴とする請求項２乃至４の何れか１つに記載の加熱筒保護カバー。
【請求項６】
前記互いに接合されるカバー部材同士は、一方のカバー部材には、第１の穴を有する第１の面部を有し、他方のカバー部材には、第１の面部に平行で第１の穴に対応する位置に第２の穴がある第２の面部と、第２の面部に平行で第２の面部の穴と同軸上に第１のボルト固定部がある第３の面部とを有し、第１の穴、第２の穴に挿通され、第１のボルト固定部にねじ込まれる脱落防止ボルトにより、互いに接合されるカバー部材同士は接合されることを特徴とする請求項５に記載の加熱筒保護カバー。
【請求項７】
前記ケーブル通過部には、折り返しがあることを特徴とすることを特徴とする請求項１乃至６の何れか１つに記載の加熱筒保護カバー。
【発明の詳細な説明】
【技術分野】
【０００１】
本発明は、射出成形機に関し、特に、射出成形機の加熱筒保護カバーに関する。  
【背景技術】
【０００２】
射出成形機の加熱筒には電熱ヒータが設置されており、樹脂を溶融するために必要な熱量を供給している。この熱量の供給は、電熱ヒータと加熱筒の直接接触による熱伝導によって行われて、加熱筒は温められる。このため射出成形機には、高温になる電熱ヒータと加熱筒に、作業者の身体が直接接触することを防止する加熱筒保護カバーが取り付けられている。
【０００３】
特許文献１には、加熱シリンダの外側を囲む２重カバーを備え、この２重カバーは、保温カバーとその外側に設けられた遮熱カバーとからなり、加熱筒に保温カバーを接合する保温カバー傾斜部に一端が接合された保温カバー取付部よりも、保温カバーに遮熱カバーを接合した遮熱カバー垂直面部に形成した遮熱カバー取付部を低位置に配設したカバーが開示されている。
【先行技術文献】
【特許文献】
【０００４】
【特許文献１】特開２０１２−６２７６号公報
【発明の概要】
【発明が解決しようとする課題】
【０００５】
加熱筒用電熱ヒータの電力供給ケーブルが加熱筒の全周を覆う加熱筒保護カバーの内側に設置されている場合がある。加熱筒の全周を覆う加熱筒保護カバーの内側は熱がこもるため高温となり、加熱筒用電熱ヒータの電力供給ケーブルの使用環境として好ましくない。しかし、電熱ヒータの電力供給ケーブルを加熱筒の外側に出すようにするために、加熱筒保護カバーを大きく切り抜いた場合は、切り抜いた箇所から加熱筒が露出して危険である。
【０００６】
また、一般的に加熱筒には、加熱筒用電熱ヒータが複数個使用されていて、それぞれの電熱ヒータの電力供給ケーブルは結束バンド等で一つに束ねられているため、この結束を解くことなく、加熱筒用電熱ヒータの電力供給ケーブルだけを加熱筒保護カバーの外側に出すことは構造上困難である。
【０００７】
また、特許文献１に開示されるカバーは、加熱筒の熱が遮熱カバーに伝わり難くした構造であり、特に加熱筒用電熱ヒータの電力供給ケーブルの使用環境を改善させるものではない。
【０００８】
そこで本発明の目的は、上記従来技術の課題を解決するために、加熱筒保護カバーの外側にケーブルを出すことにより、ケーブルの使用環境を改善することが可能な射出成形機の加熱筒保護カバーを提供することである。
【課題を解決するための手段】
【０００９】
本発明は、加熱筒の全周を覆う加熱筒保護カバーにおいて、加熱筒用電熱ヒータの電力供給ケーブルや熱電対ケーブルなどを加熱筒保護カバーの外側に出すための穴を有する。または、加熱筒の全周を覆う加熱筒保護カバーが複数のカバー部材によって構成され、少なくとも１個のカバー部材には、各ケーブルを加熱筒保護カバーの外側に出すための穴を形成するための切欠きが設けられていて、複数のカバー部材を加熱筒に組付けることにより、加熱筒の全周を覆い、且つ各ケーブルを加熱筒保護カバーの外側に出すための穴を形成する。
【００１０】
本発明による加熱筒保護カバーは、加熱筒の全周を覆い、熱がこもって高温になっている加熱筒保護カバーの外側にケーブルを出すことにより、ケーブルの使用環境を改善させることができる。また、本発明による加熱筒保護カバーは、ケーブルだけを加熱筒の全周を覆う加熱筒保護カバーの外側に出すことが可能であり、加熱筒の露出する部分も最小限に抑えることができる。
【００１１】
そして、本願の請求項１に係る発明は、加熱筒の全周を覆う射出成形機の加熱筒保護カバーにおいて、前記加熱筒保護カバーは、ケーブルを加熱筒保護カバーの外側に出すためのケーブル通過部を有することを特徴とする射出成形機の加熱筒保護カバーである。  
請求項２に係る発明は、前記加熱筒保護カバーは、分割可能な複数のカバー部材から構成され、互いに接合されるカバー部材のうち一部または全部に、互いに接合される一方のカバー部材または両方のカバー部材にケーブル通過部形成用の切欠きが設けられ、前記加熱筒保護カバーを構成する全てのカバー部材を加熱筒に組付けることにより、加熱筒の全周を覆い、且つ、前記カバー部材に設けられたケーブル通過部形成用の切欠きによりケーブルを加熱筒保護カバーの外側に出すためのケーブル通過部を形成することを特徴とする請求項１に記載の加熱筒保護カバーである。
【００１２】
請求項３に係る発明は、前記加熱筒保護カバーは、互いに接合されるカバー部材の境界となる分割線が、加熱筒の軸方向における前記加熱筒保護カバーの前端から後端まで延びていることを特徴とする請求項２に記載の加熱筒保護カバーである。  
請求項４に係る発明は、前記加熱筒保護カバーは、互いに接合されるカバー部材の境界となる分割線が、閉じていることを特徴とする請求項２に記載の加熱筒保護カバーである。  
請求項５に係る発明は、前記加熱筒保護カバーは、互いに接合されるカバー部材同士が脱落防止ボルトにより接合されることを特徴とする請求項２乃至４の何れか１つに記載の加熱筒保護カバーである。
【００１３】
請求項６に係る発明は、前記互いに接合されるカバー部材同士は、一方のカバー部材には、第１の穴を有する第１の面部を有し、他方のカバー部材には、第１の面部に平行で第１の穴に対応する位置に第２の穴がある第２の面部と、第２の面部に平行で第２の面部の穴と同軸上に第１のボルト固定部がある第３の面部とを有し、第１の穴、第２の穴に挿通され、第１のボルト固定部にねじ込まれる脱落防止ボルトにより、互いに接合されるカバー部材同士は接合されることを特徴とする請求項５に記載の加熱筒保護カバーである。  
請求項７に係る発明は、前記ケーブル通過部には、折り返しがあることを特徴とすることを特徴とする請求項１乃至６の何れか１つに記載の加熱筒保護カバーである。
【発明の効果】
【００１４】
本発明により、加熱筒保護カバーの外側にケーブルを出すことにより、ケーブルの使用環境を改善することが可能な射出成形機の加熱筒保護カバーを提供できる。
【図面の簡単な説明】
【００１５】
【図１】実施形態１において、射出成形機の加熱筒、ノズル、水冷ジャケットについて、加熱筒保護カバーを取り付ける前の状態を示す図である。
【図２】実施形態１の加熱筒保護カバーの形状を示す図である。
【図３】実施形態１の加熱筒保護カバーを射出成形機の加熱筒に取り付ける直前の状態を示す図である。
【図４】実施形態１の加熱筒保護カバーを射出成形機の加熱筒に取り付けた状態を示す図である。
【図５】実施形態２において、射出成形機の加熱筒、ノズル、水冷ジャケットについて、加熱筒保護カバーを取り付ける前の状態を示す図である。
【図６】実施形態２の加熱筒保護カバーを射出成形機の加熱筒に取り付ける直前の状態を示す図である。
【図７】実施形態２の加熱筒保護カバーを射出成形機の加熱筒に取り付けた状態を示す図である。
【図８】実施形態３の加熱筒保護カバーの第１の加熱筒保護カバー部材を射出成形機の加熱筒に取り付けた後の状態を示す図である。
【図９】実施形態３の加熱筒保護カバーの第２の加熱筒保護カバー部材の形状を示す図である。
【図１０】実施形態３において、第１の加熱筒保護カバー部材に第２の加熱筒保護カバー部材を取り付けた状態を示す図である。
【図１１】実施形態４の加熱筒保護カバーを射出成形機の加熱筒に取り付ける直前の状態を示す図である。
【図１２】実施形態４の加熱筒保護カバーを射出成形機の加熱筒に固定した状態を示す図である。
【図１３】実施形態５において、射出成形機の加熱筒、ノズル、水冷ジャケットについて、加熱筒保護カバーを取り付ける前の状態を示す図である。
【図１４】実施形態５において、第１の加熱筒保護カバー部材を射出成形機の加熱筒に取り付けた後の状態を示す図である。
【図１５】実施形態５の加熱筒保護カバーの第２の加熱筒保護カバーの形状を示す図である。
【図１６】実施形態５において、第１の加熱筒保護カバー部材に第２の加熱筒保護カバー部材を取り付けた状態を示す図である。
【図１７】実施形態６において、第１の加熱筒保護カバー部材を射出成形機の加熱筒に取り付けた後の状態を示す図である。
【図１８】実施形態６における脱落防止ボルトの詳細を示す図である。
【図１９】実施形態６の加熱筒保護カバーの第２の加熱筒保護カバーの形状を示す図である。
【図２０】実施形態６において、第１の加熱筒保護カバー部材に第２の加熱筒保護カバー部材を取り付けた状態を示す図である。
【図２１】実施形態６の加熱筒保護カバーの第３の加熱筒保護カバーの形状を示す図である。
【図２２】実施形態６において、第１の加熱筒保護カバー部材に第２の加熱筒保護カバー部材および第３の加熱筒保護カバー部材を取り付けた状態を示す図である。
【図２３】実施形態７において、射出成形機の加熱筒、ノズル、水冷ジャケットについて、加熱筒保護カバーを取り付ける前の状態を示す図である。
【図２４】実施形態７において、第１の加熱筒保護カバー部材を射出成形機の加熱筒に取り付けた後の状態を示す図である。
【図２５】実施形態７の加熱筒保護カバーの第２の加熱筒保護カバーの形状を示す図である。
【図２６】実施形態７において、第１の加熱筒保護カバー部材に第２の加熱筒保護カバー部材を取り付けた状態を示す図である。
【図２７】実施形態７の加熱筒保護カバーの第３の加熱筒保護カバー部材の形状を示す図である。
【図２８】実施形態７において、第１の加熱筒保護カバー部材に第２の加熱筒保護カバー部材および第３の加熱筒保護カバー部材を取り付けた状態を示す図である。
【図２９】実施形態８において、第１の加熱筒保護カバー部材を射出成形機の加熱筒に取り付けた後の状態を示す図である。
【図３０】実施形態８における脱落防止ボルトの詳細を示す図である。
【図３１】実施形態８の射出成形機の加熱筒の第２の加熱筒保護カバー部材の形状を示す図である。
【図３２】実施形態８において、第１の加熱筒保護カバー部材に第２の加熱筒保護カバー部材を取り付けた状態を示す図である。
【図３３】実施形態８の射出成形機の加熱筒の第３の加熱筒保護カバー部材の形状を示す図である。
【図３４】実施形態８において、第１の加熱筒保護カバー部材に第２の加熱筒保護カバー部材および第３の加熱筒保護カバー部材を取り付けた状態を示す図である。
【図３５】実施形態９において、射出整形機の加熱筒の第１の加熱筒保護カバー部材を射出成形機の加熱筒に取り付けた後の状態を示す図である。
【図３６】実施形態９の射出成形機の加熱筒の第２の加熱筒保護カバー部材の形状を示す図である。
【図３７】実施形態９において、第１の加熱筒保護カバー部材に第２の加熱筒保護カバー部材を取り付けた状態を示す図である。
【図３８】実施形態９の射出成形機の加熱筒の第３の加熱筒保護カバー部材の形状を示す図である。
【図３９】実施形態９において、第１の加熱筒保護カバー部材に第２の加熱筒保護カバー部材および第３の加熱筒保護カバー部材を取り付けた状態を示す図である。
【発明を実施するための形態】
【００１６】
以下、本発明の実施形態を図面と共に説明する。
＜実施形態１＞
以下、本発明の第１の実施形態について図１，図２，図３，図４を参照して説明する。本実施形態は、「請求項１」と「請求項７」に基づいた実施形態である。  
図１に加熱筒保護カバー２０を取り付ける前の加熱筒１を示す。本実施形態において加熱筒用電熱ヒータは３個あり、各加熱筒用電熱ヒータ１０，１１，１２によって端子ボックス４，５，６の加熱筒周方向における位相がそれぞれ異なる。水冷ジャケット３は加熱筒１の根元部のスクリュ（図示せず）の低温部を包囲するように配設され、射出装置の本体に固定される。水冷ジャケット３にはスクリュを冷却するために水が供給される。
【００１７】
図２に本実施形態における加熱筒保護カバー２０の形状例を示す。本実施形態における加熱筒保護カバー２０は、加熱筒１の軸に対して垂直な面によって得られる断面図が八角形の中空の角柱形であり、加熱筒用電熱ヒータ１０，１１，１２の電力供給ケーブル通過用の穴２１およびケーブル通過用切欠き２２を有する。前記ケーブル通過用の穴２１およびケーブル通過用切欠き２２は、加熱筒保護カバー２０を加熱筒１に取り付けた際に、各加熱筒用電熱ヒータ１０，１１，１２の電力供給ケーブル７，８，９が前記加熱筒用電熱ヒータ１０，１１，１２に接続する部分の近傍となるようにそれぞれ配置されていることが望ましいが、前記ケーブル通過用の穴２１およびケーブル通過用切欠き２２と加熱筒用電熱ヒータ１０，１１，１２の電力供給ケーブル７，８，９を一対一に対応させなくても良い。なお、図中のケーブルは電力供給ケーブルを意味する。
【００１８】
前記ケーブル通過用切欠き２２には、ケーブル通過用切欠き２２の端部と加熱筒用電熱ヒータ１０の電力供給ケーブル７が擦れて同ケーブルを傷めることが無いように折り返し２３が設けられている。前記折り返し２３は切欠きの全方向にあることが望ましいが、少なくとも加熱筒用電熱ヒータ１０の電力供給ケーブル７が引き出される方向にあれば良い。
【００１９】
図３に本実施形態における加熱筒保護カバー２０を加熱筒１に取り付ける直前の状態を示す。本実施形態における加熱筒保護カバー２０の加熱筒１への取付け方は、まず、加熱筒保護カバー２０のケーブル通過用の穴２１に加熱筒用電熱ヒータ１１の電力供給ケーブル８の末端部（コネクタ部８ａ）を通しておく。次に加熱筒保護カバー２０をノズル２側から加熱筒１に通して、加熱筒１の水冷ジャケット３に固定する。この際にケーブル通過用切欠き２２と水冷ジャケット３によって形成される穴に加熱筒用電熱ヒータ１０のケーブル７を通す。その後、加熱筒用電熱ヒータ１２の電力供給ケーブル９の末端部を引っ張り、同ケーブル９をノズル２側から加熱筒保護カバー２０の外側に出す。
【００２０】
以上により図４に示すように、本実施形態における加熱筒保護カバー２０を加熱筒１に取り付けることができる。また、本実施形態において、加熱筒１内の温度を測定するために加熱筒１の側部に取り付けられる熱電対に接続されるケーブルを、加熱筒保護カバー２０の外側に出すためのケーブル通過用の穴およびケーブル通過用の切欠きを用意しても良い。実施形態１以外の他の実施形態も同様である。
【００２１】
また、本実施形態における加熱筒保護カバー２０として、加熱筒１の軸に対して垂直な面によって得られる加熱筒保護カバーの断面図が多角形、円、半月などの様々な形状の加熱筒保護カバーを使用しても良い。
【００２２】
＜実施形態２＞
以下、本発明の第２の実施形態について図５，図６，図７を参照して説明する。本実施形態は、「請求項２」および「請求項４」に基づいた実施形態である。  
本実施形態における加熱筒保護カバー３０は、第１の加熱筒保護カバー部材３１と第２の加熱筒保護カバー部材３２と第３の加熱筒保護カバー部材３３と第４の加熱筒保護カバー部材３４と第５の加熱筒保護カバー部材３５と第６の加熱筒保護カバー部材３６とから構成される。
【００２３】
図５に加熱筒保護カバー３０を取り付ける前の加熱筒１を示す。本実施形態における加熱筒用電熱ヒータ１０，１１，１２の電力供給ケーブル７，８，９は、側面方向に位置する端子ボックス４，５，６から下方向に出たのち加熱筒１の軸方向に向きを変えて延びている。このとき各加熱筒用電熱ヒータ１０，１１，１２の電力供給ケーブル７，８，９は１本合流する度に結束バンド１４で１つに束ねられている。
【００２４】
図６に本実施形態における加熱筒保護カバー３０を加熱筒１に取り付ける直前状態を示す。本実施形態における加熱筒保護カバー３０の第１の加熱筒保護カバー部材３１と第３の加熱筒保護カバー部材３３と第５の加熱筒保護カバー部材３５は、加熱筒１の中心軸を通る水平面から上方部分の加熱筒を覆うアーチ形状である。本実施形態における加熱筒保護カバー３０の第２の加熱筒保護カバー部材３２と第４の加熱筒保護カバー部材３４と第６の加熱筒保護カバー部材３６は、加熱筒１の中心軸を通る水平面から下方部分の加熱筒を覆うアーチ形状であり、各加熱筒用電熱ヒータ１０，１１の電力供給ケーブル７，８を加熱筒保護カバー３０の外側に出すケーブル通過部を形成するためのケーブル通過部形成用の切欠き３８を有する。また、第１の加熱筒保護カバー部材３１と第２の加熱筒保護カバー部材３２、第３の加熱筒保護カバー部材３３と第４の加熱筒保護カバー部材３４、そして、第５の加熱筒保護カバー部材３５と第６の加熱筒保護カバー部材３６がそれぞれ蝶番３７で接続されている。
【００２５】
次に、各加熱筒保護カバー部材３１，３２，３３，３４，３５，３６の加熱筒１への固定について説明する。  
まず、第１の加熱筒保護カバー部材３１を第２の加熱筒保護カバー部材３２が開いた状態で加熱筒１の水冷ジャケット３に固定する。そして、第２の加熱筒保護カバー部材３２を閉じて、第１の加熱筒保護カバー部材３１に固定する。次に、第３の加熱筒保護カバー部材３３を第４の加熱筒保護カバー部材３４が開いた状態で第１の加熱筒保護カバー部材３１に固定する。そして、第４の加熱筒保護カバー部材３４を閉じて、第３の加熱筒保護カバー部材３３に固定する。次に第５の加熱筒保護カバー部材３５を第６の加熱筒保護カバー部材３６が開いた状態で第３の加熱筒保護カバー部材３３に固定する。そして、第６の加熱筒保護カバー部材３６を閉じて、第５の加熱筒保護カバー部材３５に固定する。
【００２６】
以上により、加熱筒保護カバー３０を加熱筒１に固定することができる。このとき、図７に示すように、ケーブル通過部形成用の切欠き３８が設けられていることから、第２の加熱筒保護カバー部材３２と第４の加熱筒保護カバー部材３４との境界および第４の加熱筒保護カバー部材３４と第６の加熱筒保護カバー部材３６との境界において、ケーブル通過部３９が形成される。このケーブル通過部３９から、結束バンド１４によって一つに束ねられた加熱筒用電熱ヒータ１０，１１，１２の電力供給ケーブル７，８，９の結束を解くことなく、各加熱筒用電熱ヒータ１０，１１，１２の電力供給ケーブル７，８，９を加熱筒保護カバー３０の外側に出すことができる。また、本実施形態におけるケーブル通過部３９には実施形態１の図２のような折り返しがあっても良い。
【００２７】
＜実施形態３＞
以下、本発明の第３の実施形態について図５，図８，図９，図１０を参照して説明する。本実施形態は、「請求項２」および「請求項３」に基づいた実施形態である。本実施形態における加熱筒保護カバー５０は、第１の加熱筒保護カバー部材５１と第２の加熱筒保護カバー部材５２とから構成される。図５に加熱筒保護カバー５０を取り付ける前の加熱筒１を示す。本実施形態における加熱筒用電熱ヒータ１０，１１，１２の電力供給ケーブル７，８，９は、側面方向に位置する端子ボックス４，５，６から下方向に出たのち加熱筒１の軸方向に向きを変えて延びている。このとき各加熱筒用電熱ヒータ１０，１１，１２の電力供給ケーブル７，８，９は１本合流する度に結束バンド１４で１つに束ねられている。
【００２８】
図８に本実施形態における加熱筒保護カバー５０の第１の加熱筒保護カバー部材５１を加熱筒１の水冷ジャケット３に取り付けた状態を示す。第１の加熱筒保護カバー部材５１は、第１の溶接ナット５３を有する第１の面部５４と第１の面部５４に垂直である第２の面部５５と、第１の面部５４と第２の面部５５とを接続する接続部の二つの平面部５６，５６とを有する。本実施形態における第１の面部５４と第２の面部５５とを接続する接続部は、直角曲げの二つの平面部（接続部の平面部５６，５６）からなる。また、本実施形態における溶接ナット（第１の溶接ナット５３）は、面部に開けた穴の同軸上に溶接したナットのことである。
【００２９】
図９に本実施形態における加熱筒保護カバー５０の第２の加熱筒保護カバー部材５２の形状例を示す。第２加熱筒保護カバー部材５２は、第１の溶接ナット５３に対応する位置に第１の穴（穴５７）を有する第３の面部５８を有し、第３の面部５８に垂直で、第１の加熱筒保護カバー部材５１に取り付ける際に、第１の加熱筒保護カバー部材５１の第２の面部５５より上方に位置するようになる第４の面部５９と、第３の面部５８と第４の面部５９とを接続する接続部の二つの平面部６１，６１を有する。本実施形態における第３の面部５８と第４の面部５９とを接続する接続部は、１３５度の角度を成すように曲げられた二つの平面部（接続部の平面部６１，６１）からなる。
【００３０】
また、第２の加熱筒保護カバー部材５２には、第２の加熱筒保護カバー部材５２が第１の加熱筒保護カバー部材５１に取り付ける際に、各加熱筒用電熱ヒータ１０，１１の電力供給ケーブル７，８を加熱筒保護カバー５０の外側に出すケーブル通過部を形成するためのケーブル通過部形成用の切欠き６０，６０を有する。
【００３１】
第２の加熱筒保護カバー部材５２の第４の面部５９を第１の加熱筒保護カバー部材５１の第２の面部５５の上に位置するようにして、第２の加熱筒保護カバー部材５２の第１の穴（穴５７）にボルトを通し、第１の加熱筒保護カバー部材５１の第１の溶接ナット５３（図８）に締め込むことにより、第２の加熱筒保護カバー部材５２を第１の加熱筒保護カバー部材５１に取り付けることができる。このとき、図１０に示すように第１の加熱筒保護カバー部材５１の第２の面部５５の一部と第２の加熱筒保護カバー部材５２の第４の面部５９の一部が互いに重なることによりケーブル通過部が形成され、このケーブル通過部から結束バンド１４によって一つに束ねられた加熱筒用電熱ヒータ１０，１１，１２の電力供給ケーブル７，８，９の結束を解くことなく、各加熱筒用電熱ヒータ１０，１１，１２の電力供給ケーブル７，８，９を加熱筒保護カバー５０の外側に出すことができる。
【００３２】
また、本実施形態において、加熱筒保護カバー５０の材料の厚さがボルトのねじピッチに対して充分厚い場合は、第１の溶接ナット５３を使用する代わりに、加熱筒保護カバー５０に雌ネジ溝を直接加工しても良い。また、第１の加熱筒保護カバー部材５１の第１の面部５４と第２の面部５５とを接続する接続部の二つの面部（接続部の平面部５６，５６）、および、第２の加熱筒保護カバー部材５２の第３の面部５８と第４の面部５９とを接続する接続部の二つの平面部（接続部の平面部６１，６１）には、一つの平面または曲面または複数の折り曲げ平面を用いても良い。また、本実施形態におけるケーブル通過部には実施形態１の図２のような折り返しがあっても良い。
【００３３】
＜実施形態４＞
以下、本発明の第４の実施形態について図５，図１１，図１２を参照して説明する。本実施形態は、「請求項２」および「請求項３」に基づいた実施形態である。本実施形態における加熱筒保護カバー７０は、第１の加熱筒保護カバー部材７１と第２の加熱筒保護カバー部材７２とから構成される。図５に加熱筒保護カバー７０を取り付ける前の加熱筒を示す。本実施形態における加熱筒用電熱ヒータ１０，１１，１２の電力供給ケーブル７，８、９は、側面方向に位置する端子ボックス４，５，６から下方向に出たのち加熱筒１の軸方向に向きを変えて延びている。このとき各加熱筒用電熱ヒータ１０，１１，１２の電力供給ケーブル７，８，９は１本合流する度に結束バンド１４で１つに束ねられている。
【００３４】
図１１に本実施形態における加熱筒保護カバー７０を加熱筒１に取り付ける直前状態を示す。加熱筒保護カバー７０は、第１の加熱筒保護カバー部材７１と第２の加熱筒保護カバー部材７２が蝶番７４で接続されている。第１の加熱筒保護カバー部材７１には５つの面部があり、加熱筒用電熱ヒータ１０，１１，１２の電力供給ケーブル７，８，９が接続される端子ボックス４，５，６付近を除く全周を覆っている。
【００３５】
第２の加熱筒保護カバー部材７２は、加熱筒用電熱ヒータ１０，１１，１２の電力供給ケーブル７，８，９が接続される端子ボックス４，５，６付近を覆うことができるように、蝶番７４で第１の加熱筒保護カバー部材７１に接続されている。第２の加熱筒保護カバー部材７２は、第２の加熱筒保護カバー部材７２が加熱筒１の水冷ジャケット３に固定される際に、各加熱筒用電熱ヒータ１０，１１の電力供給ケーブル７，８を加熱筒保護カバー７０の外側に出すケーブル通過部を形成するためのケーブル通過部形成用の切欠き７３，７３を有する。
【００３６】
次に、加熱筒保護カバー７０の加熱筒１への固定について説明する。図１１に示すように、第２の加熱筒保護カバー部材７２が開いた状態で加熱筒保護カバー７０を加熱筒１のノズル先端側から加熱筒１の軸方向に入れて、第１の加熱筒保護カバー部材７１を加熱筒１の水冷ジャケット３にボルトで固定する。次に第２の加熱筒保護カバー７２を矢印の方向に閉じて、第２の加熱筒保護カバー７２を水冷ジャケット３の側面にボルトで固定する。以上により、加熱筒保護カバー７０を加熱筒１に固定することができる。このとき、図１２に示すように第１の加熱筒保護カバー部材７１の一部と第２の加熱筒保護カバー部材７２の一部が互いに重なることによりケーブル通過部が形成され、このケーブル通過部から結束バンド１４によって一つに束ねられた加熱筒用電熱ヒータ１０，１１，１２の電力供給ケーブル７，８，９の結束を解くことなく、加熱筒用電熱ヒータ１０，１１，１２の電力供給ケーブル７，８，９を加熱筒保護カバー部材７０の外側に出すことができる。また、本実施形態におけるケーブル通過部には実施形態１の図２のような折り返しがあっても良い。
【００３７】
＜実施形態５＞
以下、本発明の第５の実施形態について図１３，図１４，図１５，図１６を参照して説明する。本実施形態は、「請求項２」と「請求項３」に基づいた実施形態である。本実施形態における加熱筒保護カバー８０は、第１の加熱筒保護カバー部材８１と第２の加熱筒保護カバー部材８２とから構成される。
【００３８】
図１３に加熱筒保護カバー８０を取り付ける前の加熱筒１を示す。本実施形態において加熱筒用電熱ヒータ１０，１１，１２は３個あり、各加熱筒用電熱ヒータ１０，１１，１２によって端子ボックス４，５，６の位置が加熱筒周方向の位相がそれぞれ異なる。
【００３９】
図１４に本実施形態における加熱筒保護カバー８０の第１の加熱筒保護カバー部材８１を加熱筒１の水冷ジャケット３に取り付けた状態を示す。第１の加熱筒保護カバー部材８１は、第１の溶接ナット８３を有する第１の面部８４と、第１の面部８４と４５度の角度を成す第２の面部８５と、第２の面部８５に平行な第３の面部８６とを有し、第１の面部８４と第２の面部８５および第３の面部８６とを接続する接続部の二つの平面部８７，８７を有する。本実施形態における第１の面部８４と第２の面部８５および第３の面部８６とを接続する接続部は、直角曲げの二つの平面部（接続部の平面部８７，８７）からなる。また、本実施形態における溶接ナット（第１の溶接ナット８３）は、実施形態３の第１の溶接ナット５３と同じである。
【００４０】
図１５に本実施形態における加熱筒保護カバー８０の第２の加熱筒保護カバー部材８２の形状を示す。第２の加熱筒保護カバー部材８２は、第１の穴（穴９４）を有する第４の面部８８と、第４の面部８８と４５度の角度を成す第５の面部８９と、第５の面部８９に平行な第６の面部９０とを有し、第４の面部８８と第５の面部８９とを接続する接続部の一つの平面部９２と第５の面部８９と第６の面部９０とを接続する接続部の一つの平面部９１とを有する。
【００４１】
また、第２の加熱筒保護カバー部材８２には、第２の加熱筒保護カバー部材８２が第１の加熱筒保護カバー部材８１に取り付ける際に、各加熱筒用電熱ヒータ１０，１１の電力供給ケーブル７，８を加熱筒保護カバー８０の外側に出すケーブル通過部を形成するためのケーブル通過部形成用の切欠き９３，９３を有する。第２の加熱筒保護カバー部材８２の第５の面部８９を第１の加熱筒保護カバー部材８１の第２の面部８５の上に位置するように、且つ第２の加熱筒保護カバー部材８２の第６の面部９０を第１の加熱筒保護カバー部材８１の第３の面部８６の上に位置するようにして、第２の加熱筒保護カバー部材８２を移動させて、ボルト（図示せず）を第１の穴９４を通して第１の溶接ナット８３（図１４）に締め込むことにより、第２の加熱筒保護カバー部材８２を第１の加熱筒保護カバー部材８１に取り付けることができる。図１６に示すように第１の加熱筒保護カバー部材８１の第２の面部８５の一部と第２の加熱筒保護カバー部材８２の第５の面部８９の一部、および第１の加熱筒保護カバー部材８１の第３の面部８６の一部と第２の加熱筒保護カバー部材８２の第６の面部９０の一部が互いに重なることによりケーブル通過部を形成し、このケーブル通過部から加熱筒用電熱ヒータ１０，１１の電力供給ケーブル７，８を加熱筒保護カバー８０の外側に出すことができる。
【００４２】
また、本実施形態において、加熱筒保護カバー８０の材料の厚さがボルトのねじピッチに対して充分厚い場合は、第１の溶接ナット８３を使用する代わりに、加熱筒保護カバー８０に雌ネジ溝を直接加工しても良い。また、第１の加熱筒保護カバー部材８１の第１の面部８４と第２の面部８５とを接続する接続部の二つの平面部（接続部の平面部８７，８７）には、一つの平面または曲面または複数の折り曲げ平面を用いても良い。また、本実施形態におけるケーブル通過部には実施形態１の図２のような折り返しがあっても良い。
【００４３】
＜実施形態６＞
以下、本発明の第６の実施形態について図５，図１７，図１８，図１９，図２０，図２１，図２２を参照して説明する。本実施形態は、「請求項２」と「請求項３」と「請求項５」に基づいた実施形態である。本実施形態における加熱筒保護カバー１００は、第１の加熱筒保護カバー部材１０１と第２の加熱筒保護カバー部材１０２と第３の加熱筒保護カバー部材１０３とから構成される。
【００４４】
図５に加熱筒保護カバー１００を取り付ける前の加熱筒１を示す。本実施形態における加熱筒用電熱ヒータ１０，１１，１２の電力供給ケーブル７，８，９は、側面方向に位置する端子ボックス４，５，６から下方向に出たのち加熱筒１の軸方向に向きを変えて延びている。このとき各加熱筒用電熱ヒータ１０，１１，１２の電力供給ケーブル７，８，９は１本合流する度に結束バンド１４で１つに束ねられている。
【００４５】
図１７に本実施形態における加熱筒保護カバー１００の第１の加熱筒保護カバー部材を加熱筒１の水冷ジャケット３に取り付けた状態を示す。第１の加熱筒保護カバー部材１０１は、第１の穴を有する第１の面部１０５と第２の穴を有する第２の面部１０６と第１の面部１０５と第２の面部１０６とを接続する接続部の一つの面部（接続部の平面部１０４）とを有する。第１の穴および第２の穴には、脱落防止ボルト１１６，１１６が挿通されている。そのため、第１の穴と第２の穴はそれぞれ脱落防止ボルト１１６，１１６で隠れている。脱落防止ボルト１１６の詳細を図１８に示す。本実施形態における脱落防止ボルト１１６は、首付ボルト１０７をカバー部材の穴（第１の穴，第２の穴）に首部１０８とねじ部１０９を挿通した後、抜け止めワッシャ１１０でカバー部材を挟むように取付けたものである。
【００４６】
図１９に本実施形態における加熱筒保護カバー１００の第２の加熱筒保護カバー部材１０２の形状を示す。第２加熱筒保護カバー部材１０２は、第１の穴に対応する位置に第１の溶接ナット１１５ａを有する第３の面部１１１を有し、第３の面部１１１に垂直で、第１の加熱筒保護カバー部材１０１に取り付けた際に加熱筒用電熱ヒータ１０，１１，１２の電力供給ケーブル７，８，９より上方に位置するようになる第４の面部１１２と、第４の面部１１２と第３の面部１１１とを接続する接続部の二つの平面部１１３，１１３とを有する。
【００４７】
本実施形態における第３の面部１１１と第４の面部１１２とを接続する接続部は、直角曲げの二つの平面部（接続部の平面部１１３，１１３）からなる。また、第２の加熱筒保護カバー部材１０２には、第２の加熱筒保護カバー部材１０２が第１の加熱筒保護カバー部材１０１に取り付けられる際に、各加熱筒用電熱ヒータ１０，１１の電力供給ケーブル７，８を加熱筒保護カバー１００の外側に出すケーブル通過部を形成するためのケーブル通過部形成用の切欠き１１４，１１４を有する。
【００４８】
第２の加熱筒保護カバー部材１０２は、第１の加熱筒保護カバー部材１０１の第１の穴に挿通された脱落防止ボルト１１６によって取り付けられる。第２の加熱筒保護カバー部材１０２を移動させて、第１の穴の脱落防止ボルト１１６を第１の溶接ナット１１５ａ（図１９）に締め込むことにより、図２０に示すように第２の加熱筒保護カバー部材１０２を第１の加熱筒保護カバー部材１０１に取り付けることができる。
【００４９】
図２１に本実施形態における加熱筒保護カバー１００の第３の加熱筒保護カバー部材１０３の形状を示す。第３加熱筒保護カバー部材１０３は、第２の穴に対応する位置に第２の溶接ナット１１５ｂを有する第５の面部１１７を有し、第５の面部１１７に垂直で、第１の加熱筒保護カバー部材１０１に取り付ける際に第２の加熱筒保護カバー部材１０２の第４の面部１１２より上方に位置するようになる第６の面部１１８と、第６の面部１１８と第５の面部１１７とを接続する接続部の二つの平面部１１９，１１９とを有する。
【００５０】
本実施形態における第５の面部１１７と第６の面部１１８とを接続する接続部は、１３５度の角度を成すように曲げられた二つの平面部（接続部の平面部１１９，１１９）からなる。また、第３の加熱筒保護カバー部材１０３には、第３の加熱筒保護カバー部材１０３が第１の加熱筒保護カバー部材１０１に取り付けられる際に、各加熱筒用電熱ヒータ１０，１１の電力供給ケーブル７，８を加熱筒保護カバーの外側に出すケーブル通過部を形成するためのケーブル通過部形成用の切欠き１１８ａ，１１８ａを有する。本実施形態における溶接ナット（第１の溶接ナット１１５ａ、第２の溶接ナット１１５ｂ）は、実施形態３の第１の溶接ナット５３（図８参照）と同じである。第３の加熱筒保護カバー部材１０３の第６の面部１１８を先に取り付けられている第２の加熱筒保護カバー部材１０２の第４の面部１１２の上に位置するようにして、第３の加熱筒保護カバー部材１０３を移動させて、第１の加熱筒保護カバー部材１０１の第２の穴に挿通した脱落防止ボルト１１６を第２の溶接ナット１１５ｂ（図２１）に締め込むことにより、第３の加熱筒保護カバー部材１０３を第１の加熱筒保護カバー部材１０１に取り付けることができる。
【００５１】
図２２に示すように第４の面部１１２の一部と第６の面部１１８の一部が互いに重なることにより、ケーブル通過部を形成し、このケーブル通過部から結束バンド１４によって一つに束ねられた各加熱筒用電熱ヒータ１０，１１，１２の電力供給ケーブル７，８，９の結束を解くことなく、各加熱筒用電熱ヒータ１０，１１，１２の電力供給ケーブル７，８，９を加熱筒保護カバー１００の外側に出すことができる。
【００５２】
また、本実施形態において、加熱筒保護カバー１００の材料の厚さが脱落防止ボルト１１６のねじピッチに対して充分厚い場合は、第１の溶接ナット１１５ａ，第２の溶接ナット１１５ｂを使用する代わりに、加熱筒保護カバー１００に雌ネジ溝を直接加工しても良い。また、第１の加熱筒保護カバー部材１０１の第１の面部１０５と第２の面部１０６とを接続する接続部の一つの平面部（接続部の平面部１０４）に曲面または複数の折り曲げ平面を用いても良い。また、第２の加熱筒保護カバー部材１０２の第３の面部１１１と第４の面部１１２とを接続する接続部の二つの平面部（接続部の平面部１１３，１１３）および第３の加熱筒保護カバー部材１０３の第５の面部１１７と第６の面部１１８とを接続する接続部の二つの平面部（接続部の平面部１１９，１１９）に一つの平面または曲面または複数の折り曲げ平面を用いても良い。また、本実施形態におけるケーブル通過部には実施形態１の図２のような折り返しがあっても良い。
【００５３】
＜実施形態７＞
以下、本発明の第７の実施形態について図２３，図２４，図２５，図２６，図２７，図２８を参照して説明する。本実施形態は、「請求項２」と「請求項３」と「請求項５」に基づいた実施形態である。本実施形態における加熱筒保護カバー１２０は、第１の加熱筒保護カバー部材１２１と第２の加熱筒保護カバー部材１２２と第３の加熱筒保護カバー部材１２３とから構成される。
【００５４】
図２３に加熱筒保護カバー１２０を取り付ける前の加熱筒１を示す。本実施形態における加熱筒用電熱ヒータ１０，１１，１２の電力供給ケーブル７，８，９は、下方向に位置する端子ボックス４，５，６から水平方向に出たのち加熱筒の軸方向に向きを変えて延びている。このとき各加熱筒用電熱ヒータ１０，１１，１２の電力供給ケーブル７，８，９は１本合流する度に結束バンド１４で１つに束ねられている。
【００５５】
図２４に本実施形態における加熱筒保護カバー１２０の第１の加熱筒保護カバー部材１２１を加熱筒１の水冷ジャケット３に取り付けた状態を示す。第１の加熱筒保護カバー部材１２１は、第１の穴を有する第１の面部１２６と第２の穴を有する第２の面部１２７と第１の面部１２６と第２の面部１２７とを接続する接続部の一つの平面部（接続部の平面部１２４）とを有する。第１の穴および第２の穴には、脱落防止ボルト１２５，１２５が挿通されている。そのため、第１の穴と第２の穴は脱落防止ボルト１２５，１２５で隠れている。本実施形態における脱落防止ボルト１２５は、実施形態６の脱落防止ボルト１１６（図１７参照）と同じである。
【００５６】
図２５に本実施形態における加熱筒保護カバー１２０の第２の加熱筒保護カバー部材１２２の形状を示す。第２加熱筒保護カバー部材１２２は、第１の穴に対応する位置に第１の溶接ナット１３０を有する第３の面部１２８を有し、第３の面部１２８に垂直で、第１の加熱筒保護カバー部材１２１に取り付ける際に加熱筒用電熱ヒータ１０，１１，１２の電力供給ケーブル７，８，９より上方に位置するようになる第４の面部１２９と、第４の面部１２９と第３の面部１２８とを接続する接続部の二つの平面部１３１，１３１とを有する。本実施形態における第４の面部１２９と第３の面部１２８とを接続する接続部は、直角曲げの二つの平面部（接続部の平面部１３１，１３１）からなる。
【００５７】
第２の加熱筒保護カバー部材１２２を移動させて、第１の加熱筒保護カバー部材１２１の第１の穴の脱落防止ボルト１２５を第１の溶接ナット１３０（図２５）に締め込むことにより、図２６に示すように第２の加熱筒保護カバー部材１２２を第１の加熱筒保護カバー部材１２１に取り付けることができる。
【００５８】
図２７に本実施形態における加熱筒保護カバー１２０の第３の加熱筒保護カバー部材１２３の形状を示す。第３加熱筒保護カバー部材１２３は、第２の穴に対応する位置に第２の溶接ナット１３６を有する第５の面部１３２を有し、第５の面部１３２に垂直で、第１の加熱筒保護カバー部材１２１に取り付ける際に第２の加熱筒保護カバー部材１２２の第４の面部１２９より上方に位置するようになる第６の面部１３３と、第６の面部１３３と第５の面部１３２とを接続する接続部の二つの平面部１３５，１３５とを有する。
【００５９】
本実施形態における第６の面部１３３と第５の面部１３２とを接続する接続部は、直角曲げの二つの平面部（接続部の平面部１３５，１３５）からなる。また、第３の加熱筒保護カバー部材１２３には、第３の加熱筒保護カバー部材１２３が第１の加熱筒保護カバー部材１２１に取り付ける際に、各加熱筒用電熱ヒータ１０，１１の電力供給ケーブル７，８を加熱筒保護カバー１２０の外側に出すケーブル通過部を形成するためのケーブル通過部形成用の切欠き１３４，１３４を有する。本実施形態における溶接ナット（第１の溶接ナット１３０，第２の溶接ナット１３６）は、実施形態３の第１の溶接ナット５３（図８参照）と同じである。第３の加熱筒保護カバー部材１２３の第６の面部１３３を、先に取り付けられている第２の加熱筒保護カバー部材１２２の第４の面部１２９の上に位置するようにして、第３の加熱筒保護カバー部材１２３を移動させて、第１の加熱筒保護カバー部材１２１の第２の穴の脱落防止ボルト１２５を第２の溶接ナット１３６（図２７）に締め込むことにより、第３の加熱筒保護カバー部材１２３を第１の加熱筒保護カバー部材１２１に取り付けることができる。
【００６０】
図２８に示すように第４の面部１２９の一部と第６の面部１３３の一部が互いに重なることによりケーブル通過部を形成し、このケーブル通過部から結束バンド１４によって一つに束ねられた各加熱筒用電熱ヒータ１０，１１，１２の電力供給ケーブル７，８，９の結束を解くことなく、各加熱筒用電熱ヒータ１０，１１，１２の電力供給ケーブル７，８，９を加熱筒保護カバー１２０の外側に出すことができる。
【００６１】
また、本実施形態において、加熱筒保護カバー１２０の材料の厚さが脱落防止ボルト１２５のねじピッチに対して充分厚い場合は、第１の溶接ナット１３０，第２の溶接ナット１３６を使用する代わりに、加熱筒保護カバー１２０に雌ネジ溝を直接加工しても良い。また、第１の加熱筒保護カバー部材１２１の第１の面部１２６と第２の面部１２７とを接続する接続部の一つ平面部（接続部の平面部１２４）に曲面または複数の折り曲げ平面を用いても良い。また、第２の加熱筒保護カバー部材１２２の第３の面部１２８と第４の面部１２９とを接続する接続部の二つの平面部（接続部の平面部１３１，１３１）および第３の加熱筒保護カバー１２３の第５の面部１３２と第６の面部１３３とを接続する接続部の二つの平面部（接続部の平面部１３５，１３５）に一つの平面または曲面または複数の折り曲げ平面を用いても良い。また、本実施形態におけるケーブル通過部には実施形態１の図２のような折り返しがあっても良い。
【００６２】
＜実施形態８＞
以下、本発明の第８の実施形態について図２９，図３０，図３１，図３２，図３３，図３４を参照して説明する。本実施形態は、「請求項２」と「請求項３」と「請求項５」と「請求項６」に基づいた実施形態である。本実施形態における加熱筒保護カバー１４０は、第１の加熱筒保護カバー部材１４１と第２の加熱筒保護カバー部材１４２と第３の加熱筒保護カバー部材１４３とから構成される。
【００６３】
図５に加熱筒保護カバー１４０を取り付ける前の加熱筒１を示す。本実施形態における加熱筒用電熱ヒータ１０，１１，１２の電力供給ケーブル７，８，９は、側面方向に位置する端子ボックス４，５，６から下方向に出たのち加熱筒１の軸方向に向きを変えて延びている。このとき各加熱筒用電熱ヒータ１０，１１，１２の電力供給ケーブル７，８，９は１本合流する度に結束バンド１４で１つに束ねられている。
【００６４】
図２９に本実施形態における加熱筒保護カバー１４０の第１の加熱筒保護カバー部材１４１を加熱筒１の水冷ジャケット３に取り付けた状態を示す。第１の加熱筒保護カバー部材１４１は、第１の穴を有する第１の面部１４６と第２の穴を有する第２の面部１４７と第１の面部１４６と第２の面部１４７とを接続する接続部の一つの平面部（接続部の平面部１４４）とを有する。第１の穴および第２の穴には、脱落防止ボルト１４５，１４５が挿通されている。そのため、第１の穴と第２の穴は、脱落防止ボルト１４５，１４５に隠れている。脱落防止ボルト１４５の詳細を図３０に示す。本実施形態における脱落防止ボルト１４５は、首部１４９，ねじ部１５０を備え、首部が長い首付ボルト１４８をカバー部材の穴に挿通した後、抜け止めワッシャ１５１でカバー部材を挟むように取付ける。
【００６５】
図３１に本実施形態における加熱筒保護カバー１４０の第２の加熱筒保護カバー部材１４２の形状を示す。第２の加熱筒保護カバー部材１４２は、第１の穴に対応する位置に第３の穴（穴１５７）を有する第３の面部１５２と、第３の面部１５２に平行で第３の穴（穴１５７）と同軸上に第１の溶接ナット１５８を有する第４の面部１５３とを有する。本実施形態では、平面を矩形波状に曲げることにより、第３の面部１５２と第４の面部１５３が形成されていて、第３の面部１５２と第４の面部１５３とを接続する接続部の一つの平面部を第５の面部１５４とする。さらに、第２の加熱筒保護カバー部材１４２は、第４の面部１５３に垂直で、第１の加熱筒保護カバー部材１４１に取り付けた際に加熱筒用電熱ヒータ１０，１１，１２の電力供給ケーブル７，８，９より上方に位置するようになる第６の面部１５５を有する。
【００６６】
また、第２の加熱筒保護カバー部材１４２には、第２の加熱筒保護カバー部材１４２が第１の加熱筒保護カバー部材１４１に取り付ける際に、各加熱筒用電熱ヒータ１０，１１の電力供給ケーブル７，８を加熱筒保護カバー１４０の外側に出すケーブル通過部を形成するためのケーブル通過部形成用の切欠き１５６，１５６を有する。
【００６７】
第２の加熱筒保護カバー部材１４２は、第１の加熱筒保護カバー部材１４１の第１の穴の脱落防止ボルト１４５によって取り付けられる。第２の加熱筒保護カバー部材１４２を移動させて、第１の穴の脱落防止ボルト１４５を第３の穴（穴１５７）に通し、第１の溶接ナット１５８（図３１）に締め込むことにより、図３２に示すように第２の加熱筒保護カバー部材１４２を第１の加熱筒保護カバー部材１４１に取り付けることができる。
【００６８】
図３３に本実施形態における加熱筒保護カバー１４０の第３の加熱筒保護カバー部材１４３の形状を示す。第３加熱筒保護カバー部材１４３は、第２の穴に対応する位置に第４の穴（穴１６６）を有する第７の面部１６０と、第７の面部１６０に平行で第４の穴（穴１６６）と同軸上に第２の溶接ナット１５９を有する第８面部１６１とを有する。本実施形態では、平面を矩形波状に曲げることにより、第７の面部１６０と第８の面部１６１が形成されていて、第７の面部１６０と第８の面部１６１とを接続する接続部の一つの平面部を第９の面部１６２とする。さらに、第３の加熱筒保護カバー部材１４３は、第８の面部１６１に垂直で、第１の加熱筒保護カバー部材１４１に取り付ける際に第２の加熱筒保護カバー部材１４２の第６の面部１５５より上方に位置するようになる第１０の面部１６３と、第１０の面部１６３と第８の面部１６１を接続する接続部の二つの平面部１６５，１６５とを有する。本実施形態における第１０の面部１６３と第８の面部１６１とを接続する接続部は１３５度の角度を成すように曲げられた二つの平面部（接続部の平面部１６５）からなる。
【００６９】
また、第３の加熱筒保護カバー部材１４３には、第３の加熱筒保護カバー部材１４３が第１の加熱筒保護カバー部材１４１に取り付ける際に、各加熱筒用電熱ヒータ１０，１１の電力供給ケーブル７，８を加熱筒保護カバー１４０の外側に出すケーブル通過部を形成するためのケーブル通過部形成用の切欠き１６４，１６４を有する。本実施形態における溶接ナット（第１の溶接ナット１５８，第２の溶接ナット１５９）は、実施形態３の溶接ナット５３（図８参照）と同じである。第３の加熱筒保護カバー部材１４３の第１０の面部１６３を、先に取り付けられている第２の加熱筒保護カバー部材１４２の第６の面部１５５の上に位置するようにして、第３の加熱筒保護カバー部材１４３を移動させて、第１の加熱筒保護カバー部材１４１の第２の穴の脱落防止ボルトを第４の穴（穴１６６）に通し、第２の溶接ナット１５９（図３３）に締め込むことにより、第３の加熱筒保護カバー部材１４３を第１の加熱筒保護カバー部材１４１に取り付けることができる。
【００７０】
図３４に示すように、第２の加熱筒保護カバー部材１４２の第６の面部１５５の一部と第３の加熱筒保護カバー部材１４３の第１０の面部１６３の一部が互いに重なることにより、ケーブル通過部を形成し、このケーブル通過部から結束バンド１４によって一つに束ねられた各加熱筒用電熱ヒータ１０，１１，１２の電力供給ケーブル７，８，９の結束を解くことなく、各加熱筒用電熱ヒータ１０，１１，１２の電力供給ケーブル７，８，９を加熱筒保護カバー１４０の外側に出すことができる。
【００７１】
また、本実施形態では、第２の加熱筒保護カバー部材１４２の第４の面部１５３に平行で外側に位置する第２の加熱筒保護カバー部材１４２の第３の面部１５２が、第１の加熱筒保護カバー部材１４１の第１の面部１４６と当たることによって、第１の加熱筒保護カバー部材１４２の第１の溶接ナット１５８を有する第４の面部１５３と第１の面部１４６との間隔が第５の面部１５４によって保持されているので、首部が長い脱落防止ボルト１４５の軸方向の移動に自由度がある。これによって複数箇所ある脱落防止ボルト１４５を１本ずつ第１の溶接ナット１５８から抜き出したとしても、第１の加熱筒保護カバー部材１４１の第１の面部１４６を変形させることは無い。このことは第３の加熱筒保護カバー部材１４３の第７の面部１６０と第８の面部１６１と第９の面部１６２と第１の加熱筒保護カバー部材１４１の第２の面部１４７も同様である。
【００７２】
また、本実施形態において、加熱筒保護カバー１４０の材料の厚さが脱落防止ボルト１４５および抜け止め付ボルトのねじピッチに対して充分厚い場合は、第１の溶接ナット１５８，第２の溶接ナット１５９を使用する代わりに、加熱筒保護カバー１４０に雌ネジ溝を直接加工しても良い。また、第１の加熱筒保護カバー部材１４１の第１の面部１４６と第２の面部１４７とを接続する接続部の一つの平面部（接続部の平面部１４４）、および、第２の加熱筒保護カバー部材１４２の第５の面部１５４および第３の加熱筒保護カバー１４３の第９の面部１６２に曲面または複数の折り曲げ平面を用いても良い。また、第３の加熱筒保護カバー１４３の第８の面部１６１と第１０の面部１６３とを接続する接続部の二つの平面部（接続部の平面部１６５，１６５）に一つの平面または曲面または複数の折り曲げ平面を用いても良い。また、本実施形態におけるケーブル通過部には実施形態１の図２のような折り返しがあっても良い。
【００７３】
＜実施形態９＞
以下、本発明の第９の実施形態について図３５，図３６，図３７，図３８，図３９を参照して説明する。本実施形態は、「請求項２」と「請求項３」と「請求項５」と「請求項６」に基づいた実施形態である。本実施形態における加熱筒保護カバー１７０は、第１の加熱筒保護カバー部材１７１と第２の加熱筒保護カバー部材１７２と第３の加熱筒保護カバー部材１７３とから構成される。
【００７４】
図２３に加熱筒保護カバー１７０を取り付ける前の加熱筒１を示す。本実施形態における加熱筒用電熱ヒータ１０，１１，１２の電力供給ケーブル７，８，９は、下方向に位置する端子ボックス４，５，６から水平方向に出たのち加熱筒１の軸方向に向きを変えて延びている。このとき各加熱筒用電熱ヒータ１０，１１，１２の電力供給ケーブル７，８，９は１本合流する度に結束バンド１４で１つに束ねられている。
【００７５】
図３５に本実施形態における加熱筒保護カバー１７０の第１の加熱筒保護カバー部材１７１を加熱筒１の水冷ジャケット３に取り付けた状態を示す。第１の加熱筒保護カバー部材１７１は、第１の穴を有する第１の面部１７４と第２の穴を有する第２の面部１７５と第１の面部１７４と第２の面部１７５とを接続する接続部の一つの平面部（接続部の平面部１９１）とを有する。第１の穴および第２の穴には、脱落防止ボルト１７６，１７６が挿通されている。そのため、第１の穴と第２の穴は、脱落防止ボルト１７６，１７６に隠れている。本実施形態における脱落防止ボルト１７６は、実施形態８の脱落防止ボルト１４５（図２９参照）と同じである。
【００７６】
図３６に本実施形態における加熱筒保護カバー１７０の第２の加熱筒保護カバー部材１７２の形状を示す。第２の加熱筒保護カバー部材１７２は、第１の穴に対応する位置に第３の穴（穴１８２）を有する第３の面部１７７と、第３の面部１７７に平行で第３の穴（穴１８２）と同軸上に第１の溶接ナット１８１を有する第４の面部１７８とを有する。本実施形態では、平面を矩形波状に曲げることにより、第３の面部１７７と第４の面部１７８が形成されていて、第３の面部１７７と第４の面部１７８とを接続する接続部の一つの平面部を第５の面部１７９とする。さらに、第２の加熱筒保護カバー部材１７２は、第４の面部１７８に垂直で、第１の加熱筒保護カバー部材１７１に取り付け際に加熱筒用電熱ヒータ１０，１１，１２の電力供給ケーブル７，８，９より上方に位置するようになる第６の面部１８０を有する。
【００７７】
第２の加熱筒保護カバー部材１７２を移動させて、第１の穴の脱落防止ボルト１７６を第３の穴（穴１８２）に通して、第１の溶接ナット１８１（図３６）に締め込むことにより、図３７に示すように第２の加熱筒保護カバー部材１７２を第１の加熱筒保護カバー部材１７１に取り付けることができる。
【００７８】
図３８に本実施形態における加熱筒保護カバー１７０の第３の加熱筒保護カバー部材１７３の形状を示す。第３の加熱筒保護カバー部材１７３は、第２の穴に対応する位置に第４の穴（穴１８７）を有する第７の面部１８３と、第７の面部１８３に平行で第４の穴（穴１８７）と同軸上に第２の溶接ナット１８８を有する第８の面部１８４とを有する。本実施形態では、平面を矩形波状に曲げることにより、第７の面部１８３と第８の面部１８４が形成されていて、第７の面部１８３と第８の面部１８４とを接続する接続部材の一つの平面部を第９の面部１８５とする。
【００７９】
さらに、第３の加熱筒保護カバー部材１７３は、第８の面部１８４に垂直で、第１の加熱筒保護カバー部材１７１に取り付ける際に第２の加熱筒保護カバー部材１７２の第６の面部１８０より上方に位置するようになる第１０の面部１８６と、第１０の面部１８６と第８の面部１８４を接続する接続部の二つの平面部１９０，１９０とを有する。本実施形態における第１０の面部１８６と第８の面部１８４とを接続する接続部は、直角曲げの二つの平面部（接続部の平面部１９０，１９０）からなる。
【００８０】
第３の加熱筒保護カバー部材１７３には、第３の加熱筒保護カバー部材１７３が第１の加熱筒保護カバー部材１７１に取り付ける際に、各加熱筒用電熱ヒータ１０，１１の電力供給ケーブル７，８を加熱筒保護カバー１７０の外側に出すケーブル通過部を形成するためのケーブル通過部形成用の切欠き１８９，１８９を有する。本実施形態における溶接ナット（第１の溶接ナット１８１，第２の溶接ナット１８８）は、実施形態３の溶接ナット５３（図８参照）と同じである。第３の加熱筒保護カバー部材１７３の第１０の面部１８６を先に取り付けられている第２の加熱筒保護カバー部材１７２の第６の面部１８０の上に位置するようにして、第３の加熱筒保護カバー部材１７３を移動させて、第１の加熱筒保護カバー部材１７１の第２の穴の脱落防止ボルト１７６を第４の穴に通して、第２の溶接ナット１８８（図３８）に締め込むことにより、第３の加熱筒保護カバー部材１７３を第１の加熱筒保護カバー部材１７１に取り付けることができる。
【００８１】
図３９に示すように、第２の加熱筒保護カバー部材１７２の第６の面部１８０の一部と第３の加熱筒保護カバー部材１７３の第１０の面部１８６の一部が互いに重なることによりケーブル通過部を形成し、このケーブル通過部から結束バンド１４によって一つに束ねられた各加熱筒用電熱ヒータ１０，１１，１２の電力供給ケーブル７，８，９の結束を解くことなく、各加熱筒用電熱ヒータ１０，１１，１２の電力供給ケーブル７，８，９を加熱筒保護カバー１７０の外側に出すことができる。
【００８２】
また、本実施形態では、第２の加熱筒保護カバー部材１７２の第４の面部１７８に平行で外側に位置する第２の加熱筒保護カバー部材の第３の面部１７７が、第１の加熱筒保護カバー部材１７１の第１の面部１７４と当たることによって、第１の溶接ナット１８１を有する第４の面部１７８と第１の面部１７４との間隔が第５の面部１７９によって保持されているので、首部が長い脱落防止ボルト１７６の軸方向の移動に自由度がある。これによって複数箇所ある脱落防止ボルト１７６を１本ずつ第１の溶接ナット１８１から抜き出したとしても、第１の加熱筒保護カバー部材１７１の第１の面部１７４を変形させることは無い。このことは第３の加熱筒保護カバー部材１７３の第７の面部１８３と第８の面部１８４と第９の面部１８５と第１の加熱筒保護カバー部材１７１の第２の面部１７５も同様である。
【００８３】
また、本実施形態において、加熱筒保護カバー１７０の材料の厚さが脱落防止ボルトのねじピッチに対して充分厚い場合は、第１の溶接ナット１８１，第２の溶接ナット１８８を使用する代わりに、加熱筒保護カバーに雌ネジ溝を直接加工しても良い。また、第１の加熱筒保護カバー部材１７１の第１の面部１７４と第２の面部１７５とを接続する接続部の一つの平面部（接続部の平面部１９１）および第２の加熱筒保護カバー部材１７２の第５の面部１７９および第３の加熱筒保護カバー部材１７３の第９の面部に曲面または複数の折り曲げ平面を用いても良い。また、第３の加熱筒保護カバー部材１７３の第８の面部と第１０の面部とを接続する接続部の二つの平面部（接続部の平面部１９０，１９０）に一つの平面または曲面または複数の折り曲げ平面を用いても良い。また、本実施形態におけるケーブル通過部には実施形態１の図２のような折り返しがあっても良い。
【００８４】
上述した各実施形態において、「分割されるカバー部材から構成され、互いに接合されるカバー部材のうち一部または全部に関して、互いに接合される一方のカバー部材または両方のカバー部材にケーブル通過部形成用の切欠きが設けられ、」とあるが、互いに接合されるカバー部材の全ての接合部に前記ケーブル通過部形成用の切欠きがある必要は無い。例えば実施形態２の第１の加熱筒保護カバー部材と第２の加熱筒保護カバー部材との接合部には、ケーブル通過部形成用の切欠きは必要ない。また、前記ケーブル通過部形成用の切欠きは、加熱筒保護カバーを加熱筒に取り付けた際に、各加熱筒用電熱ヒータの電力供給ケーブルが前記加熱筒用電熱ヒータに接続する部分の近傍にケーブル通過部が形成されるようにそれぞれ配置されていることが望ましいが、前記ケーブル通過部と加熱筒用電熱ヒータの電力供給ケーブルを一対一に対応させなくても良い。
【符号の説明】
【００８５】
１  加熱筒
２  ノズル
３  水冷ジャケット
４  端子ボックス
５  端子ボックス
６  端子ボックス
７  ケーブル
８  ケーブル
８ａ  コネクタ部
９  ケーブル
１０  電熱ヒータ
１１  電熱ヒータ
１２  電熱ヒータ
１３  矢印
１４  結束バンド
２０  加熱筒保護カバー
２１  ケーブル通過用の穴
２２  ケーブル通過用切欠き
２３  折り返し
３０  加熱筒保護カバー
３１  第１の加熱筒保護カバー部材
３２  第２の加熱筒保護カバー部材
３３  第３の加熱筒保護カバー部材
３４  第４の加熱筒保護カバー部材
３５  第５の加熱筒保護カバー部材
３６  第６の加熱筒保護カバー部材
３７  蝶番
３８  ケーブル通過部形成用の切欠き
３９  ケーブル通過部
５０  加熱筒保護カバー
５１  第１の加熱筒保護カバー部材
５２  第２の加熱筒保護カバー部材
５３  第１の溶接ナット
５４  第１の面部
５５  第２の面部
５６  接続部の平面部
５７  穴
５８  第３の面部
５９  第４の面部
６０  ケーブル通過部形成用の切欠き
６１  接続部の平面部
７０  加熱筒保護カバー
７１  第１の加熱筒保護カバー部材
７２  第２の加熱筒保護カバー部材
７３  ケーブル通過部形成用の切欠き
７４  蝶番
８０  加熱筒保護カバー
８１  第１の加熱筒保護カバー部材
８２  第２の加熱筒保護カバー部材
８３  第１の溶接ナット
８４  第１の面部
８５  第２の面部
８６  第３の面部
８７  接続部の平面部
８８  第４の面部
８９  第５の面部
９０  第６の面部
９１  接続部の平面部
９２  接続部の平面部
９３  ケーブル通過部形成用の切欠き
９４  第１の穴
１００  加熱筒保護カバー
１０１  第１の加熱筒保護カバー部材
１０２  第２の加熱筒保護カバー部材
１０３  第３の加熱筒保護カバー部材
１０４  接続部の平面部
１０５  第１の面部
１０６  第２の面部
１０７  首付ボルト
１０８  首部
１０９  ねじ部
１１０  抜け止めワッシャ
１１１  第３の面部
１１２  第４の面部
１１３  接続部の平面部
１１４  ケーブル通過部形成用の切欠き
１１５ａ  第１の溶接ナット
１１５ｂ  第２の溶接ナット
１１６  脱落防止ボルト
１１７  第５の面部
１１８  第６の面部
１１８ａ  ケーブル通過部形成用の切欠き
１１９  接続部の平面部
１２０  加熱筒保護カバー
１２１  第１の加熱筒保護カバー部材
１２２  第２の加熱筒保護カバー部材
１２３  第３の加熱筒保護カバー部材
１２４  接続部の平面部
１２５  脱落防止ボルト
１２６  第１の面部
１２７  第２の面部
１２８  第３の面部
１２９  第４の面部
１３０  第１の溶接ナット
１３１  接続部の平面部
１３２  第５の面部
１３３  第６の面部
１３４  ケーブル通過部形成用の切欠き
１３５  接続部の平面部
１３６  第２の溶接ナット
１４０  加熱筒保護カバー
１４１  第１の加熱筒保護カバー部材
１４２  第２の加熱筒保護カバー部材
１４３  第３の加熱筒保護カバー部材
１４４  接続部の平面部
１４５  脱落防止ボルト
１４６  第１の面部
１４７  第２の面部
１４８  首付ボルト
１４９  首部
１５０  ねじ部
１５１  抜け止めワッシャ
１５２  第３の面部
１５３  第４の面部
１５４  第５の面部
１５５  第６の面部
１５６  ケーブル通過部形成用の切欠き
１５７  穴
１５８  第１の溶接ナット
１５９  第２の溶接ナット
１６０  第７の面部
１６１  第８の面部
１６２  第９の面部
１６３  第１０の面部
１６４  ケーブル通過部形成用の切欠き
１６５  接続部の平面部
１６６  穴
１７０  加熱筒保護カバー
１７１  第１の加熱筒保護カバー部材
１７２  第２の加熱筒保護カバー部材
１７３  第３の加熱筒保護カバー部材
１７４  第１の面部
１７５  第２の面部
１７６  脱落防止ボルト
１７７  第３の面部
１７８  第４の面部
１７９  第５の面部
１８０  第６の面部
１８１  第１の溶接ナット
１８２  穴
１８３  第７の面部
１８４  第８の面部
１８５  第９の面部
１８６  第１０の面部
１８７  穴
１８８  第２の溶接ナット
１８９  ケーブル通過部形成用の切欠き
１９０  接続部の平面部
１９１  接続部の平面部
【図１】
2015107616.tif 000003
【図２】
2015107616.tif 000004
【図３】
2015107616.tif 000005
【図４】
2015107616.tif 000006
【図５】
2015107616.tif 000007
【図６】
2015107616.tif 000008
【図７】
2015107616.tif 000009
【図８】
2015107616.tif 000010
【図９】
2015107616.tif 000011
【図１０】
2015107616.tif 000012
【図１１】
2015107616.tif 000013
【図１２】
2015107616.tif 000014
【図１３】
2015107616.tif 000015
【図１４】
2015107616.tif 000016
【図１５】
2015107616.tif 000017
【図１６】
2015107616.tif 000018
【図１７】
2015107616.tif 000019
【図１８】
2015107616.tif 000020
【図１９】
2015107616.tif 000021
【図２０】
2015107616.tif 000022
【図２１】
2015107616.tif 000023
【図２２】
2015107616.tif 000024
【図２３】
2015107616.tif 000025
【図２４】
2015107616.tif 000026
【図２５】
2015107616.tif 000027
【図２６】
2015107616.tif 000028
【図２７】
2015107616.tif 000029
【図２８】
2015107616.tif 000030
【図２９】
2015107616.tif 000031
【図３０】
2015107616.tif 000032
【図３１】
2015107616.tif 000033
【図３２】
2015107616.tif 000034
【図３３】
2015107616.tif 000035
【図３４】
2015107616.tif 000036
【図３５】
2015107616.tif 000037
【図３６】
2015107616.tif 000038
【図３７】
2015107616.tif 000039
【図３８】
2015107616.tif 000040
【図３９】
2015107616.tif 000041
【手続補正書】
【提出日】平成27年4月3日(2015.4.3)
【手続補正１】
【補正対象書類名】明細書
【補正対象項目名】００１１
【補正方法】変更
【補正の内容】
【００１１】
本願の請求項１に係る発明は、加熱筒の全周を覆う射出成形機の加熱筒保護カバーであって、前記加熱筒保護カバーは、ケーブルを前記加熱筒保護カバーの外側に出すためのケーブル通過部を有し、前記ケーブル通過部には、折り返しを備えていることを特徴とする射出成形機の加熱筒保護カバーである。  
請求項２に係る発明は、加熱筒の全周を覆う射出成形機の加熱筒保護カバーであって、  前記加熱筒保護カバーは、分割可能な複数のカバー部材から構成され、互いに接合されるそれらカバー部材のうちの一部または全部に、互いに接合される一方のカバー部材または両方のカバー部材にケーブル通過部を形成する切欠きが設けられ、前記加熱筒保護カバーを構成する全ての保護カバー部材を加熱筒に組付けることにより、加熱筒の全周を覆い、且つ、前記保護カバー部材の加熱筒保護カバーを構成するその他のカバー部材との境界に設けられたケーブル通過部形成用の切欠きによりケーブルを加熱筒保護カバーの外側に出すためのケーブル通過部を形成されるようにした、射出成形機の加熱筒保護カバーである。
【手続補正２】
【補正対象書類名】明細書
【補正対象項目名】００１２
【補正方法】変更
【補正の内容】
【００１２】
請求項３に係る発明は、前記加熱筒保護カバーは、互いに接合されるカバー部材の境界となる分割線が、加熱筒の軸方向における前記加熱筒保護カバーの前端から後端まで延びていることを特徴とする請求項２に記載の射出成形機の加熱筒保護カバーである。  
請求項４に係る発明は、前記加熱筒保護カバーは、互いに接合されるカバー部材の境界となる分割線が、閉じていることを特徴とする請求項２に記載の射出成形機の加熱筒保護カバーである。
請求項５に係る発明は、前記加熱筒保護カバーは、互いに接合されるカバー部材同士が脱落防止ボルトにより接合されることを特徴とする請求項２乃至４の何れか１つに記載の射出成形機の加熱筒保護カバーである。
【手続補正３】
【補正対象書類名】明細書
【補正対象項目名】００１３
【補正方法】変更
【補正の内容】
【００１３】
請求項６に係る発明は、前記互いに接合されるカバー部材同士は、一方のカバー部材には、第１の穴を有する第１の面部を有し、他方のカバー部材には、第１の面部に平行で第１の穴に対応する位置に第２の穴がある第２の面部と、第２の面部に平行で第２の面部の穴と同軸上に第１のボルト固定部がある第３の面部とを有し、第１の穴、第２の穴に挿通され、第１のボルト固定部にねじ込まれる脱落防止ボルトにより、互いに接合されるカバー部材同士は接合されることを特徴とする請求項５に記載の射出成形機の加熱筒保護カバーである。  
請求項７に係る発明は、前記ケーブル通過部は、折り返しがあることを特徴とする請求項２乃至６の何れか１つに記載の射出成形機の加熱筒保護カバーである。
【手続補正４】
【補正対象書類名】特許請求の範囲
【補正対象項目名】全文
【補正方法】変更
【補正の内容】
【特許請求の範囲】
【請求項１】
加熱筒の全周を覆う射出成形機の加熱筒保護カバーであって、
前記加熱筒保護カバーは、ケーブルを前記加熱筒保護カバーの外側に出すためのケーブル通過部を有し、
前記ケーブル通過部には、折り返しを備えていることを特徴とする射出成形機の加熱筒保護カバー。
【請求項２】
加熱筒の全周を覆う射出成形機の加熱筒保護カバーであって、
前記加熱筒保護カバーは、分割可能な複数のカバー部材から構成され、互いに接合されるそれらカバー部材のうちの一部または全部に、互いに接合される一方のカバー部材または両方のカバー部材にケーブル通過部を形成する切欠きが設けられ、前記加熱筒保護カバーを構成する全ての保護カバー部材を加熱筒に組付けることにより、加熱筒の全周を覆い、且つ、前記保護カバー部材の加熱筒保護カバーを構成するその他のカバー部材との境界に設けられたケーブル通過部形成用の切欠きによりケーブルを加熱筒保護カバーの外側に出すためのケーブル通過部を形成されるようにした、射出成形機の加熱筒保護カバー。
【請求項３】
前記加熱筒保護カバーは、互いに接合されるカバー部材の境界となる分割線が、加熱筒の軸方向における前記加熱筒保護カバーの前端から後端まで延びていることを特徴とする請求項２に記載の射出成形機の加熱筒保護カバー。
【請求項４】
前記加熱筒保護カバーは、互いに接合されるカバー部材の境界となる分割線が、閉じていることを特徴とする請求項２に記載の射出成形機の加熱筒保護カバー。
【請求項５】
前記加熱筒保護カバーは、互いに接合されるカバー部材同士が脱落防止ボルトにより接合されることを特徴とする請求項２乃至４の何れか１つに記載の射出成形機の加熱筒保護カバー。
【請求項６】
前記互いに接合されるカバー部材同士は、一方のカバー部材には、第１の穴を有する第１の面部を有し、他方のカバー部材には、第１の面部に平行で第１の穴に対応する位置に第２の穴がある第２の面部と、第２の面部に平行で第２の面部の穴と同軸上に第１のボルト固定部がある第３の面部とを有し、第１の穴、第２の穴に挿通され、第１のボルト固定部にねじ込まれる脱落防止ボルトにより、互いに接合されるカバー部材同士は接合されることを特徴とする請求項５に記載の射出成形機の加熱筒保護カバー。
【請求項７】
前記ケーブル通過部は、折り返しがあることを特徴とする請求項２乃至６の何れか１つに記載の射出成形機の加熱筒保護カバー。